(57)【特許請求の範囲】
【請求項１】
走行機体に機枠を連結し、該機枠に圃場面に溝切り可能な溝切体を設け、該機枠に該溝切体の進行方向前方位置の圃場面に散在する藁屑等の圃場散在物を側方に排出可能な前処理部材を回転自在に設け、かつ、該機枠に該溝切体の進行方向後方位置の圃場土を掬い取って側方に排出可能なすき部材を設け、更に、該機枠に該すき部材により掘り取られた掘取溝の左右の両上角縁部を形成する圃場上縁面及び溝内側面に摺接可能な安定部材を設けてなり、上記機枠の後部に取付アームを取付け、該取付アームに上記すき部材を取付け、該取付アームに上記安定部材を取付け、該安定部材は上記圃場上縁面に摺接可能な上当接板面及び上記溝内側面に摺接可能な側当接板面を備えてなり、該上当接板面の進行方向前縁部は反り上がり面に形成され、上記安定部材に上記すき部材により側方に排出された掘取土の上記掘取溝内への落ち込みを防ぐ落込防止部材を設けてなることを特徴とする圃場溝掘機。
【発明の詳細な説明】
【技術分野】
【０００１】
本発明は例えば水田等の圃場に水はけ排水用の掘取溝を形成する圃場溝掘機に関するものである。
【背景技術】
【０００２】
従来、この種の圃場溝掘機として、走行機体に機枠を連結し、機枠に圃場面に溝切り可能な溝切体を設け、機枠に溝切体の進行方向前方位置の圃場面に散在する藁屑等の圃場散在物を側方に排出可能な前処理部材を回転自在に設け、かつ、機枠に該溝切体の進行方向後方位置の圃場土を掬い取って側方に排出可能なすき部材を設け、更に、機枠にすき部材により掘り取られた掘取溝の左右の両上角縁部を形成する圃場上縁面及び溝内側面に摺接可能な安定部材を設けた構造のものが知られている。
【０００３】
しかして、走行機体により機枠を走行進行すると、溝切体は回転しつつ進行して圃場面に条溝が溝切りされ、溝切体の進行方向前方の圃場面に散在する藁屑等の圃場散在物は前処理部材の回転により側方に排出され、溝切体により溝切りされた土壌はその後方のすき部材により掘り取られて側方に排出され、圃場に掘取溝が掘り取られ、すき部材により掘り取られた掘取溝の左右の両上角縁部を形成する圃場上縁面及び溝内側面に安定部材が摺接し、これにより、圃場面に連続的に掘取溝が形成されることになる。
【先行技術文献】
【特許文献】
【０００４】
【特許文献１】特許第３４７９７８１号公報
【発明の概要】
【発明が解決しようとする課題】
【０００５】
しかしながら上記従来構造の場合、すき部材により圃場に掘取溝を形成するとき、すき部材により掘り取られた掘取土が掘取溝内に落ち込むことがあり、このため、落ち込んだ掘取土により掘取溝が閉塞されてしまい、掘取溝の排水機能を阻害することがあるという不都合を有している。
【課題を解決するための手段】
【０００６】
本発明はこれらの不都合を解決することを目的とするもので、請求項１記載の発明は、走行機体に機枠を連結し、該機枠に圃場面に溝切り可能な溝切体を設け、該機枠に該溝切体の進行方向前方位置の圃場面に散在する藁屑等の圃場散在物を側方に排出可能な前処理部材を回転自在に設け、かつ、該機枠に該溝切体の進行方向後方位置の圃場土を掬い取って側方に排出可能なすき部材を設け、更に、該機枠に該すき部材により掘り取られた掘取溝の左右の両上角縁部を形成する圃場上縁面及び溝内側面に摺接可能な安定部材を設けてなり、上記機枠の後部に取付アームを取付け、該取付アームに上記すき部材を取付け、該取付アームに上記安定部材を取付け、該安定部材は上記圃場上縁面に摺接可能な上当接板面及び上記溝内側面に摺接可能な側当接板面を備えてなり、該上当接板面の進行方向前縁部は反り上がり面に形成され、上記安定部材に上記すき部材により側方に排出された掘取土の上記掘取溝内への落ち込みを防ぐ落込防止部材を設けてなることを特徴とする圃場溝掘機にある。
【発明の効果】
【０００７】
本発明は上述の如く、請求項１記載の発明にあっては、溝切体の下部及びすき部材の下部を圃場内に穿入し、走行機体により機枠を走行させることになり、溝切体の進行方向前方位置の圃場面に散在する藁屑、株等の圃場散在物は前処理部材により側方に排出され、それだけ、溝切体の溝切抵抗及びすき部材の溝掘抵抗を軽減することができ、溝切体は連れ回り回転しつつ進行して圃場面に条溝を切り、この溝切りされた土壌はその後方のすき部材により掘り取られて側方に排出され、安定部材はすき部材により掘り取られた上記掘取溝の左右の両上角縁部を形成する圃場上縁面及び溝内側面に摺接し、安定部材によりすき部材の高低を安定なものとすることができ、圃場土の状態によりすき部材が過大に圃場泥土を掬い取って牽引力が増加することを抑制でき、掘取溝の深さを略一定に保つことができ、この結果、圃場に掘取溝を掘る作業を円滑に行うことになり、この際、上記機枠の後部に取付アームを取付け、取付アームに上記すき部材を取付け、取付アームに上記安定部材を取付け、安定部材は上記圃場上縁面に摺接可能な上当接板面及び上記溝内側面に摺接可能な側当接板面を備えてなり、上当接板面の進行方向前縁部は反り上がり面に形成されているから、上当接板面によりすき部材の高低を安定なものとすることができ、かつ、安定部材の側当接板面によりすき部材及び溝切体の横振れを抑えることができ、溝掘り作業を良好に行うことができ、さらに、上記安定部材に上記すき部材により側方に排出された掘取土の上記掘取溝内への落ち込みを防ぐ落込防止部材を設けているから、掘取土による掘取溝内の閉塞を防ぐことができ、水はけ排水性を妨げることがなくなり、掘取溝の排水機能を確実に保持することができる。
【図面の簡単な説明】
【０００８】
【図１】本発明の実施の形態例の全体側面図である。
【図２】本発明の実施の形態例の拡大側断面図である。
【図３】本発明の実施の形態例の部分平面図である。
【図４】本発明の実施の形態例の部分縦断面図である。
【図５】本発明の実施の形態例の部分斜視図ある。
【図６】本発明の実施の形態例の部分縦断面図である。
【発明を実施するための形態】
【０００９】
図１乃至図６は本発明の実施の形態例を示し、図１、図２の如く、１は走行機体、この場合、トラクタであって、走行機体１の後部には連結機構２により機枠３が連結され、連結機構２は左右の下部リンク４、上部リンク５、油圧アーム６及び吊上リンク７から構成され、油圧アーム６の揺動により機枠３を上下揺動自在に設けている。
【００１０】
８・８は一対の溝切体であって、図２の如く、外周部に数個の刃部８ａを切欠して有し、前記機枠３に支持部材３ａを前下り状に固定垂設し、支持部材３ａの下端部に対向一対の取付片３ｂ・３ｂを形成し、取付片３ｂ・３ｂ間に車筒９を取付け、車筒９に車軸１０を回転自在に軸受し、車軸１０の左右両端部に溝切体８・８を所定間隔を置いて取付けて構成している。
【００１１】
１１はすき部材であって、この場合、図２、図３の如く、すき部材１１の先端部は前記溝切体８・８間の幅と略同幅の先細掘取部１１ａに形成されると共に後部は掘取土Ｄを側方に排出するようにひねった排出部１１ｂに形成されている。
【００１２】
この場合、図２、図３の如く、前記機枠３の上記支持部材３ａの下部の取付片３ｂ・３ｂ間にＵ状の取付アーム１２の先端部を支持軸１３により枢着し、機枠３の上部にピン１４によりナット体１５を枢着してナット体１５をピン１４を中心として上下揺動自在に設け、ナット体１５に螺杆１６を螺着し、螺杆１６にハンドル１７を螺着してハンドル１７の正逆回動により螺杆１６を上下移動自在に設け、取付アーム１２の中程部に螺杆１６の下端部をピン１８により枢着し、取付アーム１２にすき部材１１をボルト１９により取付け、しかして、ハンドル１７の正逆回動により取付アーム１２は支持軸１３を中心として上下揺動してすき部材１１を上下調節自在に設けて構成している。
【００１３】
２０は前処理部材であって、この場合、図２、図３、図４の如く、取付軸２０ａ、取付円盤２０ｂ及び取付円盤２０ｂに放射状に複数個の排出部材２０ｃをボルト２０ｄにより取り付けてなり、駆動機構２１により回転駆動され、この場合、機枠３に入力軸２１ａ及び出力軸２１ｂを軸受２１ｃ・２１ｃにより回転自在に横設し、入力軸２１ａ及び出力軸２１ｂとの間に歯車機構２１ｄを介装し、走行機体１たるトラクタの動力取出軸１ａと入力軸２１ａとを自在継手２１ｅにより連結し、出力軸２１ｂと取付軸２０ａとを直結し、取付軸２０ａに取付円盤２０ｂを取付け、機枠３にカバー部材２０ｅを取り付け、しかして、動力取出軸１ａの回転により前処理部材２０を回転して溝切体８・８の進行方向前方位置の圃場面ａに散在する藁屑等の圃場散在物Ｅを側方に排出するように構成している。
【００１４】
２２は安定部材であって、この場合、図５、図６の如く、上記すき部材１１により掘り取られた掘取溝Ｗの左右の両上角縁部を形成する左右の圃場上縁面Ｗ１・Ｗ１及び左右の溝内側面Ｗ２・Ｗ２に摺接可能に形成されている。
【００１５】
この場合、図５、図６の如く、上記安定部材２２には、上記掘取溝Ｗの左右の両上角縁部を形成する左右の圃場上縁面Ｗ１・Ｗ１に摺接可能な上当接板面２２ａ・２２ａ、左右の溝内側面Ｗ２・Ｗ２に摺接可能な側当接板面２２ｂ・２２ｂ及び左右の側当接板面２２ｂ・２２ｂ間に接続板面２２ｃが形成され、上当接板面２２ａ・２２ａの進行方向前縁部は反り上がり面２２ｄ・２２ｄに形成され、接続板面２２ｃの進行方向前縁部は反り上がり面２２ｅに形成され、上記取付アーム１２の後面に支持片２３を突設し、安定部材２２に連結片２４を形成し、支持片２３と連結片２４とを連結ピン２５により連結し、これにより安定部材２２を取付アーム１２に若干揺動自在に取り付けている。
【００１６】
２６は落込防止部材であって、この場合、図３、図５、図６の如く、左右一対の落込防止起立部２６ａ及び取付水平部２６ｂからなるＬ状の板材により形成され、上記安定部材２２の左右の上当接板面２２ａ・２２ａにそれぞれ左右相互に進行方向前方から後方に向かって幅狭から次第に幅広となるハ状に固着形成され、上記すき部材１１により側方に排出された掘取土Ｄの上記掘取溝Ｗ内への落ち込みを落込防止部材２６の落込防止起立部２６ａにより防ぐように構成している。
【００１７】
２７は重錘であって、前記機枠３の左右両側に吊下枠３ｃを形成し、吊下枠３ｃに着脱自在に搭載され、重錘２７の自重によりすき部材１１の溝掘抵抗による機枠３の浮上を抑制するものである。
【００１８】
この実施の形態例は上記構成であるから、図１、図２の如く、連結機構２により機枠３を下降動作し、溝切体８・８の下部及びすき部材１１の下部を圃場面ａ内に穿入し、走行機体１により機枠３を走行させることになり、溝切体８・８の進行方向前方位置の圃場面ａに散在する藁屑、株等の圃場散在物Ｅは前処理部材２０により側方に排出され、それだけ、溝切体８・８の溝切抵抗及びすき部材１１の溝掘抵抗を軽減することができ、溝切体８・８は連れ回り回転しつつ進行して圃場面ａに二条の条溝Ｒを切り、この場合、刃部８ａ・８ａにより溝切抵抗が軽減され、この二条に溝切りされた間の土壌はその後方のすき部材１１により掘り取られて側方に排出され、安定部材２２はすき部材１１により掘り取られた上記掘取溝Ｗの左右の両上角縁部を形成する圃場上縁面Ｗ１・Ｗ１及び溝内側面Ｗ２・Ｗ２に摺接し、安定部材２２によりすき部材１１の高低を安定なものとすることができ、圃場土の状態によりすき部材１１が過大に圃場泥土を掬い取って牽引力が増加することを抑制でき、掘取溝Ｗの深さを略一定に保つことができ、この結果、圃場面ａに掘取溝Ｗを掘る作業を円滑に行うことができる。
【００１９】
この場合、図５、図６の如く、上記安定部材２２には、上記掘取溝Ｗの左右の両上角縁部を形成する左右の圃場上縁面Ｗ１・Ｗ１に摺接可能な上当接板面２２ａ・２２ａ、左右の溝内側面Ｗ２・Ｗ２に摺接可能な側当接板面２２ｂ・２２ｂ及び左右の側当接板面２２ｂ・２２ｂ間に接続板面２２ｃが形成され、上当接板面２２ａ・２２ａ及び接続板面２２ｃの前縁部は反り上がり面２２ｄ・２２ｄ・２２ｅに形成されているから、上当接板面２２ａ・２２ａによりすき部材１１の高低を安定なものとすることができ、かつ、安定部材２２の側当接板面２２ｂ・２２ｂによりすき部材１１及び溝切体８・８の横振れを抑えることができ、溝掘り作業を良好に行うことができる。
【００２０】
又、この際、図５、図６の如く、上記安定部材２２に上記すき部材１１により側方に排出された掘取土Ｄの上記掘取溝Ｗ内への落ち込みを防ぐ落込防止部材２６を設けているから、掘取土Ｄによる掘取溝Ｗ内の閉塞を防ぐことができ、水はけ排水性を妨げることがなくなり、掘取溝Ｗの排水機能を確実に保持することができる。
【００２１】
尚、上記実施の形態例では、溝切体８・８を二枚一対の溝切体としているが、溝切体８・８をなた刃状の溝切刃としたり、一方の溝切体だけとすることもあると共に溝切体を強制回転させる構造とすることもあり、又、上記実施の形態例では一対の溝切体８・８及びすき部材１１を一組配置しているが二組以上とすることもあり、又、安定部材２２の構造等は適宜変更して設計されるものである。
【００２２】
以上の如く、所期の目的を充分達成することができる。
【符号の説明】
【００２３】
ａ    圃場面
Ｅ    圃場散在物
Ｗ    掘取溝
Ｗ１    圃場上縁面
Ｗ２    溝内側面
Ｄ    掘取土
１    走行機体
３    機枠
８    溝切体
１１    すき部材
１２ 取付アーム
２０    前処理部材
２２    安定部材
２２ａ 上当接板面
２２ｂ 側当接板面
２２ｄ 反り上がり面
２６    落込防止部材
【図１】
0006353863.tif 000002
【図２】
0006353863.tif 000003
【図３】
0006353863.tif 000004
【図４】
0006353863.tif 000005
【図５】
0006353863.tif 000006
【図６】
0006353863.tif 000007